(57)【要約】    【課題】  ロール体を垂直に保持することができ、一人でも容易に垂直にシートを張ることのできる、ロール体保持具を提供する。    【解決手段】  ロール体３の軸に挿通されロール体３を支持する軸部５を備え、軸部５の少なくとも一端に鉤状の下部フック14または上部フック16を備えた。軸部５の少なくとも一端に備えられた鉤状の下部フック14または上部フック16を近くの建築用足場などに引っ掛けて、下部フック14または上部フック16の備えられた軸部５の一端側を上方に、他端を下方にして吊り下げることによって、ロール体３を簡単に垂直に保持することができ、一人でも容易に垂直にシート２を張ることができる。【選択図】  図２
2005082260.tif 000002
【特許請求の範囲】
【請求項１】
シートのロール体を保持するロール体保持具であって、ロール体の軸に挿通されロール体を支持する支持部を備え、前記支持部の少なくとも一端に鉤状のフックを備えたことを特徴とするロール体保持具。
【請求項２】
前記フックを前記支持部の両端にそれぞれ設け、前記支持部の両端に跨ってハンドルを設けたことを特徴とする請求項１記載のロール体保持具。
【発明の詳細な説明】
【技術分野】
【０００１】
本発明は、シートをロール状に巻いたロール体を保持するロール体保持具に関し、特に、建設工事用のシートを張る作業に用いられるロール体保持具に関する。
【背景技術】
【０００２】
従来、例えば、木造住宅工事などにおいて、タイベック（登録商標）などの透湿防水シートを住宅の外側に張る作業を行なう場合、一人の作業者が透湿防水シートのロール体を保持し、別の作業者が透湿防水シートを引き出して張るといったように、複数の作業者で作業を行なう必要があった。そして、ロール体が重い場合には、ロール体の保持に労力を要し、作業性が極めて悪いといった問題があった。
【０００３】
なお、特許文献１に開示されるように、ロール体を水平に保持するためのロール用スタンドは知られているが、ロール体を垂直に保持することのできるものは知られていなかった。
【特許文献１】特開平１１−９１９９２号公報
【発明の開示】
【発明が解決しようとする課題】
【０００４】
本発明は上記問題点に鑑み、ロール体を垂直に保持することができ、一人でも容易に垂直にシートを張ることのできる、ロール体保持具を提供することをその目的とする。
【課題を解決するための手段】
【０００５】
本発明の請求項１におけるロール体保持具は、シートのロール体を保持するロール体保持具であって、ロール体の軸に挿通されロール体を支持する支持部を備え、前記支持部の少なくとも一端に鉤状のフックを備えたことを特徴とする。
【０００６】
本発明の請求項２におけるロール体保持具は、請求項１において、前記フックを前記支持部の両端にそれぞれ設け、前記支持部の両端に跨ってハンドルを設けたことを特徴とする。
【発明の効果】
【０００７】
本発明の請求項１におけるロール体保持具では、支持部の少なくとも一端に備えられた鉤状のフックを近くの建築用足場などに引っ掛けて、フックの備えられた支持部の一端側を上方に、他端を下方にして吊り下げることによって、ロール体を簡単に垂直に保持することができ、一人でも容易に垂直にシートを張ることができる。
【０００８】
本発明の請求項２におけるロール体保持具では、支持部の両端にそれぞれ設けられたフックと、支持部の両端に跨って設けられたハンドルとにより、床面から離間させたままロール体を安定して水平に保持することができ、一人でも容易に水平にシートを張ることができる。
【発明を実施するための最良の形態】
【０００９】
以下、本発明における好ましい実施例について、添付図面を参照しながら説明する。
【実施例１】
【００１０】
図１〜図４に基づいて、本発明の第１実施例について説明する。全体の構成について、図１、図２を参照しながら説明すると、１はシート２をロール状に巻いたロール体３を保持するロール体保持具である。シート２は、木造住宅工事において住宅の外側に張られる透湿防水シートや、塗装工事に用いられる養生シートなどであり、ロール体３の軸となる両端が開口した中空管状の紙製の筒芯４に巻かれている。
【００１１】
５は、筒芯４に挿通されロール体３を支持する支持部たる軸部であって、筒心４の内径よりもやや小さい外径を有する金属製のパイプで形成されている。そして、この軸部５の内部には、両端近傍においてナット６が埋め込まれている。また、軸部５の下端には円盤状の下部シート受部７が一体に設けられている。この下部シート受部７は軸部５の外周面から外側に向かって延設されており、その直径はロール体３の筒芯４の内径よりも大きく、ロール体３の外径よりも小さく形成されている。そして、下部シート受部７は、ロール体３が軸部５に挿通されたときに、ロール体３を受けて支持するように構成されている。
【００１２】
また、軸部５の上端側には、円盤状の上部シート受部８が設けられている。この上部シート受部８は、軸部５と別体に設けられ、中心に蝶ボルト９が挿通される穴10が形成されている。また、上部シート受部８の直径は下部シート受部７と同様に、ロール体３の筒芯４の内径よりも大きく、ロール体３の外径よりも小さく形成されている。そして、上部シート受部８は、ロール体３を軸部５に挿通した後、蝶ボルト９によって軸部５に固定され、ロール体３が軸部５から抜けることを防止するように構成されている。なお、蝶ボルト９は、軸部５の内部に埋め込まれたナット６に螺着されるようになっている。
【００１３】
11は、ハンドルであって、軸部５の両端に跨って設けられている。ハンドル11は、その両端部に形成された穴12に蝶ボルト９とボルト13が挿通され、これら蝶ボルト９とボルト13によって軸部５に固定されるようになっている。なお、ボルト13は、軸部５の内部に埋め込まれたナット６に螺着されるようになっている。また、ハンドル11は、軸部５の下端側における軸部５の中心近傍から軸部５の径方向へ延設されたハンドル下部11ａと、軸部５の上端側における軸部５の中心近傍から軸部５の径方向へ延設されたハンドル上部11ｂと、これらハンドル下部11ａとハンドル上部11ｂとにそれぞれ略直角に接続するハンドル取手部11ｃとによって、コ字状に形成されている。また、ハンドル取手部11ｃは、軸部５と略平行に位置するとともに、軸部５に挿通されたロール体３の外周から一定の距離を隔てられており、ハンドル取手部11ｃとロール体３の外周との間に指を差し入れて、ハンドル取手部11ｃを把持できるように構成されている。
【００１４】
軸部５の下端側において、ハンドル11と軸部５との間には、フックとしての下部フック14が設けられている。この下部フック14は、端部に形成された穴15にボルト13が挿通され、軸部５に回動自在に固定されている。また、下部フック14は、軸部５の下端側における軸部５の中心近傍から軸部５の径方向へ延設された下部フック本体14ａと、下部フック本体14ａに軸部５の上端側に向かって略直角に接続する下部フック爪部14ｂとによって、鉤状に形成されている。また、下部フック爪部14ｂは、軸部５と略平行に位置するとともに、軸部５に挿通されたロール体３の外周から一定の距離を隔てられて設けられている。さらに、ハンドル11の内側に下部フック14を収容できるように、下部フック爪部14ｂは、ハンドル取手部11ｃよりも軸部５寄りに位置している。このようにして、ハンドル11の内側の形状に沿うように、下部フック14は形成されている。そして、下部フック14は、下部フック本体14ａの中程から下部フック爪部14ｂの先端へ向かって先細りの形状に形成されている。
【００１５】
軸部５の上端側においては、ハンドル11と軸部５との間にフックとしての上部フック16が設けられている。この上部フック16は、端部に形成された穴17に蝶ボルト９が挿通され、軸部５に回動自在に固定されている。また、上部フック16は、軸部５の上端側における軸部５の中心近傍から軸部５の径方向へ延設された上部フック本体16ａと、上部フック本体16ａに軸部５の下端側に向かって略直角に接続する上部フック爪部16ｂとによって、鉤状に形成されている。また、上部フック爪部16ｂは、軸部５と略平行に位置するとともに、軸部５に挿通されたロール体３の外周から一定の距離を隔てられて設けられている。さらに、ハンドル11の内側に上部フック16を収容できるように、上部フック爪部16ｂは、ハンドル取手部11ｃよりも軸部５寄りに位置している。このようにして、ハンドル11の内側の形状に沿うように、上部フック16は形成されている。そして、上部フック16は、上部フック本体16ａの中程から上部フック爪部16ｂの先端へ向かって先細りの形状に形成されている。
【００１６】
次に、上記構成についてその作用を説明する。シート２を垂直に張る場合は、上部フック16の上部フック爪部16ｂを、シート２を張る位置の近傍にある建築用足場やそのほかの適当な構造物に引っ掛けて、ロール体３を保持したロール体保持具１を吊り下げる。こうすることによって、ロール体保持具１は上部フック16側を上方に向けて、ほぼ垂直に固定される。このように、ロール体３を簡単に垂直に保持することができ、一人でも容易に垂直にシートを張ることができる。なお、上部フック16の代わりに下部フック14を引っ掛けて下部フック14側を上方に向けてロール体保持具１を固定してもよく、どちらのフックを選択するかは、シート２に施された印刷の向きなどに応じて変更すればよい。
【００１７】
シート３を水平に張る場合は、図３に示すように、ハンドル11、下部フック14、上部フック16を支柱としてロール体保持具１を床面50に載置する。このとき、ロール体３が床面50に接触しないように、下部フック本体14ａとハンドル下部11ａ、上部フック本体16ａとハンドル上部11ｂがなす角度をそれぞれ調節する。そして、蝶ボルト９とボルト13を締め、ハンドル11、下部フック14、上部フック16をしっかりと固定する。こうすることによって、ロール体保持具１は、床面50上にほぼ水平に固定される。このように、ロール体３を床面50から離間させたまま安定して水平に保持することができ、一人でも容易に水平にシートを張ることができる。
【００１８】
また、ロール体３を取り付ける場合は、図４に示すように、蝶ボルト９を取り外し、ハンドル11をたわませることによって軸部５の上端を開放する。そして、この軸部５の上端からロール体３を挿入する。その後、ハンドル11をもとの位置に戻し、軸部５の上部に上部シート受部７、上部フック16、ハンドル11を蝶ボルト９で固定する。ロール体３の取り替えや取り外しを行なう場合も同様である。
【００１９】
また、ロール体保持具１を使用しない場合は、下部フック14と上部フック16をハンドル11の内側に収容することにより、下部フック14と上部フック16が邪魔になることなく、コンパクトにロール体保持具１を保管することができる。また、ロール体保持具１を持ち運ぶ際に、下部フック14と上部フック16が周囲のものに引っかかることを防止することができる。
【００２０】
以上のように本実施例では、シート２のロール体３を保持するロール体保持具１であって、ロール体３の軸に挿通されロール体３を支持する支持部たる軸部５を備え、軸部５の少なくとも一端に鉤状のフックたる下部フック14または上部フック16を備えている。
【００２１】
この場合、軸部５の少なくとも一端に備えられた鉤状の下部フック14または上部フック16を近くの建築用足場などに引っ掛けて、下部フック14または上部フック16の備えられた軸部５の一端側を上方に、他端を下方にして吊り下げることによって、ロール体３を簡単に垂直に保持することができ、一人でも容易に垂直にシート２を張ることができる。また、下部フック14または上部フック16を近くの建築用足場などに引っ掛けることによって、ロール体３の転落を防止でき、危険防止にもなる。
【００２２】
また、下部フック14と上部フック16を軸部５の両端にそれぞれ設け、軸部５の両端に跨ってハンドル11を設けている。
【００２３】
この場合、軸部５の両端にそれぞれ設けられた下部フック14、上部フック16と、軸部５の両端に跨って設けられたハンドル11とにより、床面50から離間させたままロール体３を安定して水平に保持することができ、一人でも容易に水平にシートを張ることができる。
【実施例２】
【００２４】
図５に基づいて、本発明の第２実施例について説明する。なお、上記第１実施例と共通の箇所には共通の符号を付し、共通する部分の説明は省略する。本実施例においては、軸部５の下端近傍にヒンジ部21を設け、このヒンジ部21から軸部５を折り曲げ自在に構成したものである。
【００２５】
この構成において、ロール体３を取り付ける場合は、蝶ボルト９を取り外し、ヒンジ部21から軸部５を折り曲げることによって軸部５の上端を開放させる。そして、この軸部５の上端からロール体３を挿入する。その後、ロール体３が挿入された軸部５をもとの位置に戻し、軸部５の上部に上部シート受部７、上部フック16、ハンドル11を蝶ボルト９で固定する。ロール体３の取り替えや取り外しを行なう場合も同様である。
【００２６】
以上のように、本実施例によれば、ハンドル11がたわみにくい場合であっても、ヒンジ部21から軸部５を折り曲げることによって軸部５の上端を開放させることができ、簡単にロール体３をロール体保持具１に取り付けたり取り外したりすることができる。
【実施例３】
【００２７】
図６に基づいて、本発明の第３実施例について説明する。本実施例においては、ハンドル11の中央にヒンジ部31を設け、このヒンジ部31からハンドル11を折り曲げ自在に構成したものである。
【００２８】
この構成において、ロール体３を取り付ける場合は、蝶ボルト９を取り外し、ヒンジ部31からハンドル11を折り曲げることによって軸部５の上端を開放させる。そして、この軸部５の上端からロール体３を挿入する。その後、ハンドル11をもとの位置に戻し、軸部５の上部に上部シート受部７、上部フック16、ハンドル11を蝶ボルト９で固定する。ロール体３の取り替えや取り外しを行なう場合も同様である。
【００２９】
以上のように、本実施例によれば、ヒンジ部31からハンドル11を折り曲げることによって軸部５の上端を開放させることができ、簡単にロール体３をロール体保持具１に取り付けたり取り外したりすることができる。
【００３０】
なお、本発明は上記各実施例に限定されるものではなく、種々の変形実施が可能である。例えば、ハンドル11、下部フック14、上部フック16の形状は上記に限らず、また、下部フック14または上部フック16のいずれか一方のみを備えた構成としてもよい。さらに、ハンドル11を設けない構成としてもよい。また、シート２としては、木造住宅工事において住宅の外側に張られる透湿防水シートや、塗装工事に用いられる養生シートに限らず、あらゆる種類のシートに適用可能である。
【図面の簡単な説明】
【００３１】
【図１】第１実施例におけるロール体保持具の側面図および上面図である。
【図２】同上部分的に拡大した縦断面図である。
【図３】同上床面に載置した状態を示す上面図である。
【図４】同上ロール体を脱着するときの様子を示す側面図である。
【図５】第２実施例におけるロール体保持具のロール体を脱着するときの様子を示す側面図である。
【図６】第３実施例におけるロール体保持具のロール体を脱着するときの様子を示す側面図である。
【符号の説明】
【００３２】
１  ロール体保持具
２  シート
３  ロール体
５  軸部（支持部）
11  ハンドル
14  下部フック（フック）
16  上部フック（フック）
【図１】
2005082260.tif 000003
【図２】
2005082260.tif 000004
【図３】
2005082260.tif 000005
【図４】
2005082260.tif 000006
【図５】
2005082260.tif 000007
【図６】
2005082260.tif 000008